(57)【要約】【課題】誤って切断された電気柵の支柱を容易に継ぎ足すことのできる継ぎ具を提供すること。【解決手段】電気柵に使用されるパイプ状の支柱２ａ，２ｂを継ぎ足すための電気柵支柱の継ぎ具２０であって、支柱２ａ，２ｂの内孔径より大きい外径を有する鍔部２１と、この鍔部２１の上下に設けられ、それぞれ支柱２ａ，２ｂの内孔に挿入されて嵌め込まれる挿入部２２，２３と備え、上下の挿入部２２，２３のうち少なくとも一方の挿入部の先端部分２２ａ，２３ａを先細り状に形成した電気柵支柱の継ぎ具である。【選択図】図１
2010246459.tif 000002
【特許請求の範囲】
【請求項１】
電気柵に使用されるパイプ状の支柱を継ぎ足すための電気柵支柱の継ぎ具であって、
電気柵の支柱の内孔径より大きい外径を有する鍔部と、この鍔部の上下に設けられ、それぞれ電気柵の支柱の内孔に挿入されて嵌め込まれる挿入部と備え、
上下の挿入部のうち少なくとも一方の挿入部の先端部分を先細り状に形成した電気柵支柱の継ぎ具。
【請求項２】
上下の挿入部の両方の先端部分を先細り状に形成した請求項１に記載の電気柵支柱の継ぎ具。
【請求項３】
挿入部の、先細り状に形成した先端部分より鍔部側の基端部分の外径を電気柵の支柱の内孔径と同一にした請求項２に記載の電気柵支柱の継ぎ具。
【請求項４】
挿入部の、先細り状に形成した先端部分より鍔部側の基端部分の鍔部と隣接する部分の外径を電気柵の支柱の内孔径と同一にし、かつ基端部分を先端部分に向けて先細りとなるテーパー状に形成した請求項２に記載の電気柵支柱の継ぎ具。
【発明の詳細な説明】
【技術分野】
【０００１】
本発明は電気柵の支柱を継ぎ足すための電気柵用支柱の継ぎ具に関する。
【背景技術】
【０００２】
中山間地域の農村地帯では、田畑を荒らす猪、鹿等の害獣を電気ショックで撃退するために、田畑の周囲に裸電線を張り巡らしこの裸電線に衝撃電圧を印加するようにした電気柵が多く使用されている。
【０００３】
この電気柵は図３に示すように、田畑の周囲に打設された支柱２に取り付けられた碍子１ａ，１ｂに裸電線３ａ，３ｂを係止して、裸電線３ａ，３ｂを田畑の周囲に張設し、その裸電線３ａ，３ｂを約５０ｍごとに裸電線からなる上下結線４で結線したものである（例えば特許文献１参照）。
【０００４】
地表より１段目の裸電線３ｂは地表より約２０ｃｍ程度、２段目の裸電線３ａは裸電線３ｂの上方約２０ｃｍ程度の比較的低い位置に張設されている。そして、この張設された裸電線３ａ，３ｂに衝撃電圧発生装置５より発生された衝撃電圧が印加されている。
【０００５】
田畑に侵入しようとして、この張設された裸電線３ａ若しくは裸電線３ｂに接触した猪等の害獣には図中の矢印のように衝撃電圧発生装置５の出力端子６、出力線７、裸電線３ａ、上下結線４、裸電線３ｂ、猪８、地中９、アース棒１０、アース線１１、アース端子１２の順路で衝撃電流が流れ、猪８は電気ショックにより電撃を受け、田畑へ侵入する意欲を失い、侵入をあきらめる。
【０００６】
この電気柵において地表より１段目の裸電線３ｂの張設された高さは地表より約２０ｃｍと低いため、裸電線３ｂの下の草類が生長を続け、この草類が裸電線３ｂ又は裸電線３ａに接触すると、衝撃電流はこの接触した草類を通して地中へ漏電することになる。この漏電は裸電線３ｂ又は裸電線３ａに触れる草類の数が増えるのに略比例して多くなり、そして、漏電が多くなれば多くなるほど衝撃電圧発生器５から裸電線３ａ，３ｂにかかる衝撃電圧は減少することになる。その結果、猪等の害獣に有効な衝撃電流を与えることができなくなる。
【０００７】
したがって、猪等の害獣が裸電線３ａ又は裸電線３ｂに触れると害獣に電気ショックを与えるという電気柵の忌避効果を維持するためには、裸電線３ｂ又は裸電線３ａに接触している草類、及び接触しようとしている草類を常に取り除く除草作業が必要である。この除草作業には刈り払い機が多用される。
【０００８】
しかし、刈り払い機を使用して草類を刈り払う場合、刈り払い機の回転している刃物を支柱に誤って当ててしまい、支柱を切断してしまうことが多々ある。
【０００９】
従来、支柱を切断してしまった場合、新たな支柱を準備して、これを打設し、さらに裸電線を張設し直す必要があった。
【００１０】
これに対して、継ぎ具を使用して誤って切断された支柱を継ぎ足し、再度利用できるようにすることが考えられる。
【００１１】
図２は、従来の一般的なパイプ用の継ぎ具とその問題点を示す図である。同図に示す従来の一般的なパイプ用の継ぎ具３０は、鍔部３１とこの鍔部３１の上下に設けられた挿入部３２，３３とからなる。各挿入部３２，３３は、継ぎ具として使用したときにガタツキが生じないように、その外径Ｄ１がパイプＰ１，Ｐ２の内孔径Ｄ２と略同一に形成されている。したがって、継ぎ具３０を使用して切断されたパイプＰ１，Ｐ２を継ぎ足すには、まず、挿入部３２，３３のいずれか一方（図２では挿入部３３）を下側のパイプＰ２の内孔に嵌め込むために、挿入部３２，３３のいずれか他方（図２では挿入部３２）の先端を木槌等で叩く必要がある。そうすると、木槌等で叩いた挿入部の先端部分が変形してバリＢが生じる。バリＢが生じると、その挿入部３２に上側のパイプＰ２を嵌め込むことができなくなる
【００１２】
また、この継ぎ具を誤って切断された電気柵の支柱の継ぎ足しに使用する場合、電気柵の支柱の内孔面にもバリのあることが多いから、そもそも、挿入部３２，３３を支柱の内孔に嵌め込みにくいという問題がある。
【先行技術文献】
【特許文献】
【００１３】
【特許文献１】特開２００３−２９９４３３号公報
【発明の概要】
【発明が解決しようとする課題】
【００１４】
本発明が解決しようとする課題は、誤って切断された電気柵の支柱を容易に継ぎ足すことのできる継ぎ具を提供することにある。
【課題を解決するための手段】
【００１５】
本発明の継ぎ具は、電気柵に使用されるパイプ状の支柱を継ぎ足すための電気柵支柱の継ぎ具であって、電気柵の支柱の内孔径より大きい外径を有する鍔部と、この鍔部の上下に設けられ、それぞれ電気柵の支柱の内孔に挿入されて嵌め込まれる挿入部とを備え、上下の挿入部のうち少なくとも一方の挿入部の先端部分を先細り状に形成したことを特徴とするものである。
【００１６】
このように、少なくとも一方の挿入部の先端部分を先細り状に形成したことで、挿入部の一方を電気柵の支柱の内孔に嵌め込む際に、先端部分を先細り状に形成した挿入部の先端を木槌等で叩くようにすれば、木槌等で叩いた先端部分が変形してバリが生じても、もとが先細り状であることから、電気柵の支柱の内孔の嵌め込むことができる。したがって、誤って切断された電気柵の支柱を容易に継ぎ足すことができる。
【００１７】
本発明においては、上下の挿入部の両方の先端部分を先細り状に形成することが好ましい。これによって、両方の挿入部を電気柵の支柱の内孔に、より簡単に嵌め込むことができるようになる。
【００１８】
また本発明においては、挿入部の、先細り状に形成した先端部分より鍔部側の基端部分の外径を電気柵の支柱の内孔径と同一にすることが好ましい。これによって、挿入部の基端部分が電気柵の支柱の内孔に強固に嵌り込むので、切断された電気柵の支柱どうしを強固に接続して一体化できる。
【００１９】
さらに本発明においては、挿入部の、先細り状に形成した先端部分より鍔部側の基端部分の鍔部と隣接する部分の外径を電気柵の支柱の内孔径と同一にし、かつ基端部分を先端部分に向けて先細りとなるテーパー状に形成することもできる。このように挿入部の基端部分を先細りのテーパー状に形成することで、電気柵の支柱の内孔への挿入部の嵌め込みをよりスムーズに行うことができる。そして、挿入部の基端部分の鍔部と隣接する部分の外径が電気柵の支柱の内孔径と同一であることから、切断された電気柵の支柱どうしを強固に接続して一体化できる。
【発明の効果】
【００２０】
本発明の継ぎ具によれば、誤って切断された電気柵の支柱を容易に継ぎ足すことができる。したがって、誤って切断された電気柵の支柱を継ぎ足し、再度利用することができ、資材やコストの無駄をなくすことができる。また、電気柵の支柱の継ぎ足しが容易であることから、高齢者であっても容易に取り扱うことができる。
【図面の簡単な説明】
【００２１】
【図１】本発明の電気柵支柱の継ぎ具とその使用形態を示す図である。
【図２】従来の一般的なパイプ用の継ぎ具とその問題点を示す図である。
【図３】電気柵の代表的な構成を示す図である。
【発明を実施するための形態】
【００２２】
以下、図面に示す実施例に基づき本発明の実施の形態を説明する。
【００２３】
図１は、本発明の電気柵支柱の継ぎ具とその使用形態を示す図である。同図に示す電気柵支柱の継ぎ具２０は、鍔部２１とこの鍔部２１の上下に設けられた挿入部２２，２３とからなる。継ぎ具２０は、例えば電気柵の支柱と同じＦＲＰで形成する。
【００２４】
鍔部２１の外径は、電気柵の支柱２ａ，２ｂの内孔径より大きい。そして、上下の挿入部２２，２３が、それぞれ支柱２ａ，２ｂに嵌め込まれる。これによって、切断された電気柵の支柱２ａ，２ｂが継ぎ足され、図３に示す支柱２として再利用できるようになる。
【００２５】
上下の挿入部２２，２３は、その先端部分２２ａ，２３ａが先細り状に形成されている。また、この先端部分２２ａ，２３ａより鍔部２１側の基端部分２２ｂ，２３ｂの外径φａは、支柱２ａ，２ｂの内孔径φｂと同一に形成されている。
【００２６】
この継ぎ具２０を使用して支柱２ａ，２ｂを継ぎ足すには、まず、挿入部２３を支柱２ｂの内孔に嵌め込む。この嵌め込みの作業は、挿入部２２の先端部分２２ａを木槌等で叩いて行う。
【００２７】
なお、支柱２ｂの内孔面には切断によってバリが生じている場合があるが、この支柱２ｂの内孔に嵌め込む挿入部２３の先端部分２３ａを先細り状に形成しているので、バリがあったとしても容易に嵌め込むことができる。また、挿入部２３の基端部分２３ｂの外径φａは、支柱２ｂの内孔径φｂと同一であるので、挿入部２３は支柱２ｂの内孔に強固に嵌り込む。
【００２８】
一方、挿入部２３を支柱２ｂの内孔に嵌め込む際に、挿入部２２の先端部分２２ａを木槌等で叩くことから挿入部２２の先端部分２２ａにはバリＢが生じる。しかし、挿入部２２の先端部分２２ａは先細り状に形成されているから、バリＢが挿入部２２の基端部分２２ｂの外径φａ（＝支柱２ａの内孔径φｂ）を超えることはない。したがって、バリＢが生じたとしても、挿入部２２を支柱２ａの内孔に容易に嵌め込むことができる。そして、挿入部２２の基端部分２２ｂの外径φａは、支柱２ａの内孔径φｂと同一であるので、挿入部２２は支柱２ｂの内孔に強固に嵌り込む。これによって、支柱２ａ，２ｂが強固に接続される。
【００２９】
ここで、図１の実施例では、挿入部２２，２３の両方の先端部分２２ａ，２３ａを先細り状に形成したが、いずれか一方のみを先細り状に形成しても良い。すなわち、図１の実施例では、支柱２ｂの内孔面にバリがあっても挿入部２３を支柱２ｂの内孔に簡単に嵌め込むことができるように、その先端部分２３ａを先細り状に形成したが、支柱２ｂの内孔面のバリは比較的簡単に除去できるので、先端部分２３ａを先細り状にしなくても、挿入部２３を支柱２ｂの内孔に嵌め込むことは可能である。したがって、上下の挿入部２２，２３のうち一方の挿入部の先端部分を先細り状に形成し、先細り状の先端部分を有する挿入部を上にして使用するようにすれば、支柱２ａ，２ｂの継ぎ足しは行うことができる。
【００３０】
ただし、図１の実施例のように、挿入部２２，２３の両方の先端部分２２ａ，２３ａを先細り状に形成する方が、支柱２ａ，２ｂの継ぎ足しをより簡単に行うことができるし、挿入部２２，２３の上下を気にすることなく使用できるので、利便性が向上する。
【００３１】
また、図１の実施例では、挿入部２２，２３の基端部分２２ｂ，２３ｂの全体を外径φａとして円柱状に形成したが、基端部分２２ｂ，２３ｂの鍔部２１と隣接する部分の外径を電気柵の支柱の内孔径と同一のφｂにし、先端部分２２ａ，２３ａに向けて先細りとなるテーパー状に形成しても良い。このようにすることで、支柱２ａ，２ｂの内孔への挿入部２２，２３の嵌め込みをよりスムーズに行うことができる。そして、挿入部２２，２３の基端部分２２ｂ，２３ｂの鍔部２１と隣接する部分の外径φａが支柱２ａ，２ｂの内孔径φｂと同一であることから、支柱２ａ，２ｂどうしを強固に接続して一体化できる。
【符号の説明】
【００３２】
１ａ，１ｂ  碍子
２，２ａ，２ｂ  電気柵の支柱
３ａ，３ｂ  裸電線
４  上下結線
５  衝撃電圧発生装置
６  出力端子
７  出力線
８  猪
９  地中
１０  アース棒
１１  アース線
１２  アース端子
２０  本発明の継ぎ具
２１  鍔部
２２，２３  挿入部
２２ａ，２３ａ  挿入部の先端部分
２２ｂ，２３ｂ  挿入部の基端部分
φａ  挿入部の基端部分の外径
φｂ  電気柵の支柱の内孔径
３０  従来の継ぎ具
３１  鍔部
３２，３３  挿入部
Ｐ１，Ｐ２  切断されたパイプ
Ｄ１  従来の継ぎ具の挿入部の外径
Ｄ２  パイプの内孔径
【図１】
2010246459.tif 000003
【図２】
2010246459.tif 000004
【図３】
2010246459.tif 000005